(57)【要約】      （修正有）【課題】電子信号線材の收納装置を提供する。【解決手段】電子信号線材の收納装置１は、２個の線体１１，１２、固定部１７、及びコンビネーションチェーン部を備え、２個の線体１１，１２、電子信号を伝送できる複数の金属線体をそれぞれ備え、２個の線体１１，１２の一端には、コネクター１５，１６をそれぞれ連接し、固定部１７は２個の線体１１，１２の反対端を覆い、コンビネーションチェーン部はさらに、第一コンビネーションチェーン体１３、第二コンビネーションチェーン体１４及びスライドブロック部１９を備え、第一コンビネーションチェーン体１３及び第二コンビネーションチェーン体１４は２個の線体１１，１２の片側にそれぞれ位置し、しかも２個の線体１１，１２と相互に連接し、スライドブロック部１９は２個の線体１１，１２とそれぞれ相互に連接し、スライドブロック部１９は、２個の線体１１，１２上で線性移動運動を行うことができる。【選択図】図１Ｂ
0003192929.tif 000002
【実用新案登録請求の範囲】
【請求項１】
電子信号線材の收納装置は、第一線体、第二線体、固定部、コンビネーションチェーン部からなり、
該第一線体は、複数の金属線体を備え、該金属線体は、電子信号を伝送でき、該第一線体一端には、第一コネクターを連接し、
が第二線体は、複数の金属線体を備え、該金属線体は、電子信号を伝送でき、該第二線体一端には、第二コネクターを連接し、
該固定部は、該第一線体と該第二線体の反対端を覆い、
該コンビネーションチェーン部はさらに、第一コンビネーションチェーン体、第二コンビネーションチェーン体、スライドブロック部を備え、
該第一コンビネーションチェーン体は、該第一線体の片側に位置し、しかも該第一線体と相互に連接し、
該第二コンビネーションチェーン体は、該第二線体の片側に位置し、しかもと該第二線体と相互に連接し、
該スライドブロック部は、該第一コンビネーションチェーン体及び該第二コンビネーションチェーン体と、相互に連接し、該スライドブロック部は、該第一コンビネーションチェーン体と該第二コンビネーションチェーン体上で、線性移動運動を行うことができ、
これにより該第一コンビネーションチェーン体と該第二コンビネーションチェーン体とは、相互に対応して連接し、該スライドブロック部が、固定位置上にある時には、該第一線体と該第二線体とは、一体に結合し、これにより該第一線体と該第二線体とは、おおよそ相互に平行を呈することを特徴とする電子信号線材の收納装置。
【請求項２】
前記第一コンビネーションチェーン体と該第二コンビネーションチェーン体とは、該第一線体と該第二線体上にそれぞれ一体成形されることを特徴とする請求項１に記載の電子信号線材の收納装置。
【請求項３】
前記第一線体及び該第二線体は、一体成形で製造し、しかも該第一コンビネーションチェーン体は、第一収容設置空間を備え、該第一線体を収容設置し、
該第二コンビネーションチェーン体は、第二収容設置空間を備え、該第二線体を収容設置し、
該第一コンビネーションチェーン体と該第二コンビネーションチェーン体一端とは、それぞれ該固定部に接触することを特徴とする請求項１に記載の電子信号線材の收納装置。
【請求項４】
前記固定部或いは該コンビネーションチェーン部はさらに、嵌合固定アーム体を備え、
該嵌合固定アーム体は、設置固定槽を備え、
該設置固定槽は、該第一線体と該第二線体とを通過させ、しかもこれにより該嵌合固定アーム体は、該第一線体と該第二線体とを搭載することを特徴とする請求項１に記載の電子信号線材の收納装置。
【考案の詳細な説明】
【技術分野】
【０００１】
本考案はアダプターのデータ伝送線装置に関し、特にクランピングチェーン構造をデータ伝送線上に運用する電子信号線材の收納装置に関する。
【背景技術】
【０００２】
テクノロジーは日進月歩の発展を見せており、パソコンが普及し、ポータブル電子製品もますます発達している。
そのため、さまざまな規格の周辺設備に対応しようと、各種規格のコネクター、コンセント、信号線等が開発されている。
マイクロソフト社Windows 98の発売以来、USB（Universal Serial Bus、ユニバーサルシリアルバス）はデータ伝送インターフェースとして、広く使用されている。
一方、ビジネス或いは旅行中に使用する人は、両端に異なる規格のコネクターを持つ信号線を用いて、使用する必要がある。
【０００３】
二つの電子設備の間が離れている場合に対応するため、信号線は一般に充分な長さを持って設計されている。
しかし、使用しない時には、伝送線が絡まり合い、或いは丸めた後の伝送線は絡まった状態で伝送線を束縛してしまう。
しかも、この二種のコード収納方式では、伝送線内部の導線が折れて或いは引っ張られて切断してしまい、伝送線の接触不良或いは故障が発生する恐れがある。
【０００４】
上記した問題を解決するため、巻き取りボックス構造が開発された。
それは、殼体内に、螺旋バネと結合するコードリールを設置し、しかも信号線をコードリールの周縁に巻きつける。
これにより、信号線の内端は、コードリール中央より、接点保持機構を経て、殼体外の接続線と連接し、コードリールが回転しても、殼体外の接続線との連接状態を保持することができる。
信号線の外側は、そのまま殼体外へと延伸し、しかもコードリールは引き出し定位及び回復機構に結合する。
【０００５】
使用時には、信号線の外端は引き出され、コードリールを連動して螺旋バネを引き伸ばす。
さらに、引き出し定位及び回復機構により、コードリールを定位する。
これにより、信号線は外へと適当な長さ伸び出した状態を保持し、使用することができる。
使用完了後には、引き出し定位及び回復機構によりコードリールを解放し、螺旋バネの回復弾力を利用し、コードリールは殼体外に伸び出した信号線を巻き取る。
こうして、信号線を自動的にコードリールに巻いて収納することができる。
【０００６】
しかし、上記した巻き取りボックス構造は、常因
信号の伝送距離が過度に長いことが原因で、螺旋バネが引き伸ばされてしまい、弾性疲労を起こし損壊してしまう。
または、使用による摩擦損壊し、接触不良を起こす恐れもあり、しかも該構造は製造コストが高い。
よって、信号線とコネクターを、いかにして收納し適切に保管するかは、業界で解決が急がれる問題である。
本考案は、従来の信号線材收納装置の上記した欠点に鑑みてなされたものである。
【先行技術文献】
【特許文献】
【０００７】
【特許文献１】特開２００８−１３５６９６号
【考案の概要】
【考案が解決しようとする課題】
【０００８】
本考案が解決しようとする第一の課題は、コネクターが延伸するデータ伝送線体にクランピングチェーンを設置し、クランピングチェーンの開閉方式により使用及び多数のアダプターと線体の収納を行い、アダプター装置全体の使用長さ及び收納時間を節減し、使用の利便性を向上させることができる電子信号線材の收納装置を提供することである。
本考案が解決しようとする第二の課題は、嵌合管式のクランピングチェーン構造を電子信号線材中に入れることにより、電子信号線材の製造の利便性を高め、多数のアダプターと線体の収納を可能とする電子信号線材の收納装置を提供することである。
本考案が解決しようとする第三の課題は、２個の電子信号線材の間に固定部を設置し、しかも固定部或いはコンビネーションチェーン部はさらに嵌合固定アーム体を備え、嵌合固定アーム体は電子信号線材を搭載でき、これによりアダプター装置全体の使用長さ及び收納時間を節減し、使用の利便性を向上させることができる電子信号線材の收納装置を提供することである。
【課題を解決するための手段】
【０００９】
上記課題を解決するため、本考案は下記の電子信号線材の收納装置を提供する。
電子信号線材の收納装置は、第一線体、第二線体、固定部及びコンビネーションチェーン部を備え、
該第一線体は、複数の金属線体を備え、該金属線体は、電子信号を伝送でき、該第一線体一端には、第一コネクターを連接し、
該第二線体は、複数の金属線体を備え、該金属線体は、電子信号を伝送でき、該第二線体一端には、第二コネクターを連接し、
該固定部は、該第一線体と該第二線体の反対端を覆い、
該コンビネーションチェーン部はさらに、第一コンビネーションチェーン体、第二コンビネーションチェーン体及びスライドブロック部を備え、
該第一コンビネーションチェーン体は、該第一線体の片側に位置し、しかも該第一線体と相互に連接し、
該第二コンビネーションチェーン体は、該第二線体の片側に位置し、しかも該第二線体と相互に連接し、
該スライドブロック部は、該第一コンビネーションチェーン体及び該第二コンビネーションチェーン体と、相互に連接し、該スライドブロック部は、該第一コンビネーションチェーン体と該第二コンビネーションチェーン体上で、線性移動運動を行うことができ、これにより該第一コンビネーションチェーン体と該第二コンビネーションチェーン体とは、相互に対応して連接し、
該スライドブロック部が、固定位置上にある時には、該第一線体と該第二線体とは、一体に結合し、これにより該第一線体と該第二線体とは、おおよそ相互に平行を呈し、
本考案の一実施形態中では、該第一コンビネーションチェーン体と該第二コンビネーションチェーン体とは、該第一線体と該第二線体上にそれぞれ一体成形され、
本考案の一実施形態中では、該第一線体及び該第二線体は、一体成形で製造し、しかも該第一コンビネーションチェーン体は、第一収容設置空間を備え、該第一線体を収容設置し、該第二コンビネーションチェーン体は、第二収容設置空間を備え、該第二線体を収容設置し、該第一コンビネーションチェーン体と該第二コンビネーションチェーン体一端とは、それぞれ該固定部に接触し、
本考案の一実施形態中では、該固定部或いは該コンビネーションチェーン部はさらに、嵌合固定アーム体を備え、該嵌合固定アーム体は、設置固定槽を備え、該設置固定槽は、該第一線体と該第二線体とを通過させ、しかもこれにより該嵌合固定アーム体は、該第一線体と該第二線体とを搭載する。
【考案の効果】
【００１０】
本考案の電子信号線材の收納装置は、以下の効果を備える。
1. コネクターが延伸するデータ伝送線体にクランピングチェーンを設置し、クランピングチェーンの開閉方式により使用及び多数のアダプターと線体の収納を行い、アダプター装置全体の使用長さ及び收納時間を節減し、使用の利便性を向上させることができる。
2. 嵌合管式のクランピングチェーン構造を電子信号線材中に入れることにより、電子信号線材の製造の利便性を高め、多数のアダプターと線体の収納を可能とする。
3. ２個の電子信号線材の間に固定部を設置し、しかも固定部或いはコンビネーションチェーン部はさらに嵌合固定アーム体を備え、嵌合固定アーム体は電子信号線材を搭載でき、これによりアダプター装置全体の使用長さ及び收納時間を節減し、使用の利便性を向上させることができる。
【図面の簡単な説明】
【００１１】
【図１Ａ】本考案電子信号線材の收納装置による第一実施形態の使用状態の正視構造模式図である。
【図１Ｂ】本考案電子信号線材の收納装置による第一実施形態の收納状態の正視構造模式図である。
【図１Ｃ】図１AのA-A位置における断面構造を示す模式図である。
【図２Ａ】本考案電子信号線材の收納装置による第二実施形態の使用状態の正視構造模式図である。
【図２Ｂ】本考案電子信号線材の收納装置による第二実施形態の收納状態の正視構造模式図である。
【図２Ｃ】図２AのB-B位置における断面構造を示す模式図である。
【図３Ａ】本考案嵌合固定アーム体の第一位置における実施形態の立体構造模式図である。
【図３Ｂ】本考案嵌合固定アーム体の第二位置における実施形態の立体構造模式図である。
【図４】本考案電子信号線材の收納装置において、嵌合固定アーム体により收納を行う状態の実施形態を示す側視構造模式図である。
【考案を実施するための形態】
【００１２】
以下に図面を参照しながら本考案を実施するための最良の形態について詳細に説明する。
【実施例】
【００１３】
図１A〜１Cは、本考案電子信号線材の收納装置による第一実施形態の使用状態、收納状態の正視構造、及びA-A位置における断面構造を示す模式図である。
【００１４】
本考案電子信号線材の收納装置1は、第一線体11、第二線体12、固定部17、コンビネーションチェーン部を備える。
【００１５】
該コンビネーションチェーン部はさらに、第一コンビネーションチェーン体13、第二コンビネーションチェーン体14及びスライドブロック部19を備える。
【００１６】
該第一線体11は、複数の金属線体111（図１C参照）を備え、該金属線体111は、電子信号を伝送でき、該第一線体11一端には、第一コネクター15を連接する。
【００１７】
該第二線体12は、複数の金属線体121（図１C参照）を備え、該金属線体121は、電子信号を伝送でき、該第二線体12一端には、第二コネクター16を連接する。
【００１８】
本考案の実施形態において、該第一線体11及び該第二線体12は市場でよく見られるデータ伝送線で、通常は、断面により区分するが、円形線構造（図２C参照）或いは扁平線構造（図１C参照）が多い。
【００１９】
該第一コネクター15と第二コネクター16は、市場でよく見られる電子信号コネクター規格で、通常はUSB type-A femal、USB type-A male、USB type-B femal、USB type-B male、USB mini-A femal、USB mini-A male、USB mini-B femal、USB mini-B male、USB micro-A femal、USB micro-A male、USB micro-B femal、USB micro-B male、USB 3.0を支援、iphone/ipod/ipadを支援、RJ-45、DC plug、AC plugのいずれかである。
【００２０】
よく用いられるデータ伝送線の両端は、該第一コネクター15と該第二コネクター16で、その電子信号規格は異なる。
【００２１】
以上は市場でよく見られる電子信号コネクター規格を列記したのみで、新しい通信器材メーカーが他の電子信号コネクター規格を開発する可能性はもちろんあり、その場合に、本考案が行う実用新案登録範囲における均等変化と修飾もすべて、本考案の実用新案登録の範囲内に含まれる。
【００２２】
本考案の実施形態において、該第一線体11と該第二線体12とは、扁平線構造である一方、円形線構造とすることももちろんできるが、ここでは詳述しない。
【００２３】
該第一線体11と該第二線体12とは、複数本の金属線体111、121により、内縁プラスチック体112、122を包んだ後、平面で、しかも相互に平行に配列して形成する。
【００２４】
製造時には、該第一コンビネーションチェーン体13を、該第一線体11上にダイレクトに一体成形し、しかも該第二コンビネーションチェーン体14を、該第二線体12上にダイレクトに一体成形する。
【００２５】
さらに、該固定部17は、該第一線体11と該第二線体12の反対端を覆い、或いは該第一線体11一端には、該第一コネクター15を連接し、及び該第二線体12一端には、該第二コネクター16を連接する。
【００２６】
本考案の固定部17は、第三コネクター（図示なし)を備える装置に設計することができる。
【００２７】
該第三コネクターは市場でよく見られる電子信号コネクター規格で、通常は、USB type-A femal、USB type-A male、USB type-B femal、USB type-B male、USB mini-A femal、USB mini-A male、USB mini-B femal、USB mini-B male、USB micro-A femal、USB micro-A male、USB micro-B femal、USB micro-B male、USB 3.0を支援、iphone/ipod/ipadを支援、ACを支援、RJ-45、DC plugのいずれかである。
【００２８】
該第三コネクターと該第一コネクター15及び該第二コネクター16のコネクター規格は異なる。
【００２９】
該第一コンビネーションチェーン体13は、該第一線体11と相互に連接し、該第二コンビネーションチェーン体14は、該第二線体12と相互に連接する。
【００３０】
本考案の実施形態において、該第一コンビネーションチェーン体13と該第二コンビネーションチェーン体14とは、該第一線体11と該第二線体12上にそれぞれ一体成形される。
【００３１】
本考案の実施形態において、該第一コンビネーションチェーン体13は、少なくとも１個の凹槽133を備え、該第二コンビネーションチェーン体14は、該凹槽133と相互に対応する少なくとも１個のフランジ143を備える。
【００３２】
該フランジ143を、該凹槽133に入れることで、該第一コンビネーションチェーン体13と該第二コンビネーションチェーン体14とを、一体に結合することができる。
【００３３】
本実施形態において、該凹槽133はさらに、少なくとも１個の係合フック134を備え、該フランジ143はさらに、該係合フック134と相互に対応する少なくとも１個の係合槽144を備える。
【００３４】
該係合フック134を該係合槽144に入れることで、該フランジ143を該凹槽133中に固定する。
【００３５】
本考案の実施形態において、該フランジ143は、半円形形状であるが、該フランジ143は、三角型形状、或いは半楕円形形状に設計することもでき、該フランジ143をいかなる形状に設計しようと、或いは該凹槽133をいかなる相互に対応する形状に設計しようと、それら本考案が行う実用新案登録範囲における均等変化と修飾はすべて、本考案の実用新案登録の範囲内に含まれる。
【００３６】
該コンビネーションチェーン部の該スライドブロック部19は、該第一コンビネーションチェーン体13及び該第二コンビネーションチェーン体14と、相互に連接する。
【００３７】
しかも、これにより該第一コンビネーションチェーン体13、該第一線体11、該第二コンビネーションチェーン体14及び該第二線体12一端は、その中に収容される。
【００３８】
該スライドブロック部19は、該第一コンビネーションチェーン体13と該第二コンビネーションチェーン体14上で、線性移動運動93を行うことができる。
【００３９】
該スライドブロック部19が、固定位置94上にある時には、該第一コンビネーションチェーン体13と該第二コンビネーションチェーン体14を、一体に結合し、しかも、該第一線体11と該第二線体12とは、おおよそ相互に平行を呈する。
【００４０】
該スライドブロック部19は、分離位置95上に位置し(力を加えることで、該第一コネクター15と該第二コネクター16とを分離する)、これにより第一コンビネーションチェーン体13と該第二コンビネーションチェーン体14の一端は、相互に連接し、しかも該第一コネクター15と該第二コネクター16は、相互に分離して、距離dを隔てる。
【００４１】
図２A〜２Cは、本考案電子信号線材の收納装置による第二実施形態の使用状態、收納状態の正視構造及びB-B位置における断面構造を示す模式図である。
【００４２】
本考案の実施形態において、大部分の部品及び原理は、上記した実施形態と相同であるため、以下では差異についてのみ説明を行う。
【００４３】
本考案実施形態と上記した実施形態の差異は、該第一線体11a及び該第二線体11bを、一体成形で製造する点である。
【００４４】
よって、折り曲げて、該第一線体11aと該第二線体11bとする時には、湾曲部18を形成し、しかもさらに該固定部17により、該湾曲部18を覆う。
【００４５】
本考案の実施形態において、該第一線体11a及び該第二線体11bは、円形線構造で、複数本の金属線体111a、111bは、内縁プラスチック体112a、112bにより覆った後、中心軸線に沿ってスタッグし配列し、断面が円形形状の円形線構造を形成する。
【００４６】
該第一線体11a及び該第二線体11bは、市場でよく見られる製品で、より良い隔離性を備える。
【００４７】
これにより、信号伝送時の干渉が少なくなるため、外縁はさらに、被覆材113a、113bで覆う。
【００４８】
該第一コンビネーションチェーン体13aと該第二コンビネーションチェーン体14aは、それぞれ独立して製造し完成させる。
【００４９】
しかも、該第一コンビネーションチェーン体13aは、第一収容設置空間131を備え、該第一線体11aを収容設置し、該第二コンビネーションチェーン体14aは、第二収容設置空間141を備え、該第二線体11bを収容設置する。
【００５０】
よって、製造を完成させた該第一コンビネーションチェーン体13aは、該第一線体11a延伸方向に沿って、線性移動運動91を行い、これにより該第一線体11aは、該第一コンビネーションチェーン体13a中に位置する。
【００５１】
該第二コンビネーションチェーン体14aは、該第二線体11b延伸方向に沿って、線性移動運動92を行い、これにより該第二線体11bは、該第二コンビネーションチェーン体14a中に位置する。
【００５２】
該スライドブロック部19が、固定位置94上にある時には、該第一コンビネーションチェーン体13aと該第二コンビネーションチェーン体14aとは一体に結合し、しかも該第一線体11aと該第二線体11bとは、おおよそ相互に平行を呈する。
【００５３】
該スライドブロック部19は、分離位置95上に位置し(力を加えることで、該第一コネクター15と該第二コネクター16とを分離する)、これにより該第一コンビネーションチェーン体13aと該第二コンビネーションチェーン体14a一端は、相互に連接し、しかも該第一コネクター15と該第二コネクター16は、相互に分離して、距離dを隔てる。
【００５４】
図３A、３Bは、本考案嵌合固定アーム体が第一位置及び第二位置にある際の実施形態を示す立体構造模式図である。
【００５５】
本考案の実施形態において、該固定部17はさらに、少なくとも１個の嵌合固定アーム体171を備える。
【００５６】
該嵌合固定アーム体171は、少なくとも１個の設置固定槽172を備え、該設置固定槽172は、該第一線体11と該第二線体12との連接と固定を提供することができる。
【００５７】
本実施形態において、該嵌合固定アーム体171は、第一位置96において、該転換固定体17と一体に結合し、しかも第二位置97において、該転換固定体17外に位置する。
【００５８】
図４は、本考案電子信号線材の收納装置において、嵌合固定アーム体により、收納を行う状態の実施形態を示す側視構造模式図である。
【００５９】
本考案の実施形態において、該嵌合固定アーム体171は、該第二位置97に位置し、該固定部17外にある時には、先ず、該第一線体11と該第二線体12とを、おおよそ円形形状或いは橢円形形状になるように巻く。
【００６０】
次に、該第一線体11と該第一線体12とを、該設置固定槽172中に入れ收納し、收納時間と收納空間の節減、及び見た目を美しくする効果を達成することができる。
【００６１】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００６２】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００６３】
1  電子信号線材の收納装置
11、11a  第一線体
111、121、111a、111b   金属線体
112、122、112a、112b   内縁プラスチック体
113a、113b   被覆材
12、11b  第二線体
13、13a  第一コンビネーションチェーン体
131  第一収容設置空間
133  凹槽
134  係合フック
14、14a  第二コンビネーションチェーン体
141  第二収容設置空間
143   フランジ
144  係合槽
15  第一コネクター
16  第二コネクター
17  固定部
171  嵌合固定アーム体
172  設置固定槽
18  湾曲部
19  スライドブロック部
91、92、93  線性移動運動
94  固定位置
95  分離位置
96  第一位置
97  第二位置
d  距離
【図１Ａ】
0003192929.tif 000003
【図１Ｂ】
0003192929.tif 000004
【図１Ｃ】
0003192929.tif 000005
【図２Ａ】
0003192929.tif 000006
【図２Ｂ】
0003192929.tif 000007
【図２Ｃ】
0003192929.tif 000008
【図３Ａ】
0003192929.tif 000009
【図３Ｂ】
0003192929.tif 000010
【図４】
0003192929.tif 000011
【手続補正書】
【提出日】平成26年7月4日(2014.7.4)
【手続補正１】
【補正対象書類名】明細書
【補正対象項目名】００１９
【補正方法】変更
【補正の内容】
【００１９】
該第一コネクター15と第二コネクター16は、市場でよく見られる電子信号コネクター規格で、通常はUSB type-A femal、USB type-A male、USB type-B femal、USB type-B male、USB mini-A femal、USB mini-A male、USB mini-B femal、USB mini-B male、USB micro-A femal、USB micro-A male、USB micro-B femal、USB micro-B male、USB 3.0を支援、iphone（登録商標）/ipod（登録商標）/ipad（登録商標）を支援、RJ-45、DC plug、AC plugのいずれかである。
【手続補正２】
【補正対象書類名】明細書
【補正対象項目名】００２７
【補正方法】変更
【補正の内容】
【００２７】
該第三コネクターは市場でよく見られる電子信号コネクター規格で、通常は、USB type-Afemal、USB type-A male、USB type-B femal、USB type-B male、USB mini-A femal、USB mini-A male、USB mini-B femal、USB mini-B male、USB micro-A femal、USB micro-Amale、USB micro-B femal、USB micro-B male、USB 3.0を支援、iphone（登録商標）/ipod（登録商標）/ipad（登録商標）を支援、ACを支援、RJ-45、DC plugのいずれかである。
【手続補正３】
【補正対象書類名】実用新案登録請求の範囲
【補正対象項目名】請求項１
【補正方法】変更
【補正の内容】
【請求項１】
電子信号線材の收納装置は、第一線体、第二線体、固定部、コンビネーションチェーン部からなり、
該第一線体は、複数の金属線体を備え、該金属線体は、電子信号を伝送でき、該第一線体一端には、第一コネクターを連接し、
該第二線体は、複数の金属線体を備え、該金属線体は、電子信号を伝送でき、該第二線体一端には、第二コネクターを連接し、
該固定部は、該第一線体と該第二線体の反対端を覆い、
該コンビネーションチェーン部はさらに、第一コンビネーションチェーン体、第二コンビネーションチェーン体、スライドブロック部を備え、
該第一コンビネーションチェーン体は、該第一線体の片側に位置し、しかも該第一線体と相互に連接し、
該第二コンビネーションチェーン体は、該第二線体の片側に位置し、しかも該第二線体と相互に連接し、
該スライドブロック部は、該第一コンビネーションチェーン体及び該第二コンビネーションチェーン体と、相互に連接し、該スライドブロック部は、該第一コンビネーションチェーン体と該第二コンビネーションチェーン体上で、線性移動運動を行うことができ、
これにより該第一コンビネーションチェーン体と該第二コンビネーションチェーン体とは、相互に対応して連接し、該スライドブロック部が、固定位置上にある時には、該第一線体と該第二線体とは、一体に結合し、これにより該第一線体と該第二線体とは、おおよそ相互に平行を呈することを特徴とする電子信号線材の收納装置。